(57)【要約】【課題】販売対象者の注意を良好に引くことができて、集客力の高い自動販売機の選択押釦装置を提供する。【解決手段】自動販売機の展示室５の前面部に配設される長尺な選択押釦装置８を、複数の商品見本３に対応する複数の商品選択釦７が長手方向に沿って配列され、長手方向の端部に光源が内蔵された構造とする。光源を発光させることにより、透光部１９など、選択押釦装置８の両端箇所をも目立たせて、集客力を向上させることができる。【選択図】図２
2009116417.tif 000002
【特許請求の範囲】
【請求項１】
自動販売機の商品見本展示室の前面部に配設される長尺な選択押釦装置であって、複数の商品見本に対応する複数の商品選択釦が長手方向に沿って配列されており、長手方向の端部に光源が内蔵されていることを特徴とする自動販売機の選択押釦装置。
【請求項２】
光源の光を手前側に透過させる透光部が端部に設けられていることを特徴とする請求項１記載の自動販売機の選択押釦装置。
【請求項３】
光源の光を商品見本展示室の背面パネル側に向けて透過させる透光部が端部に設けられていることを特徴とする請求項１記載の自動販売機の選択押釦装置。
【請求項４】
光源の光の色調が経時的に変化されることを特徴とする請求項１〜３の何れか１項に記載の自動販売機の選択押釦装置。
【請求項５】
複数の商品選択釦が配列された直線部材と商品選択釦が設けられていない端部部材とにより構成されており、前記端部部材に光源が内蔵されていることを特徴とする請求項１〜４の何れか１項に記載の自動販売機の選択押釦装置。
【発明の詳細な説明】
【技術分野】
【０００１】
本発明は自動販売機の選択押釦装置に関する。
【背景技術】
【０００２】
自動販売機の前面扉には複数の商品見本を展示する商品見本展示室が設けられている。商品見本展示室の前面部には、複数の商品見本に対応して、その並び方向に沿って複数の商品選択押釦（以下、選択押釦という）が設けられた横方向に長尺な選択押釦装置が配設されている。
【０００３】
最近の選択押釦装置には、特許文献１などに示されるように、選択押釦の周囲に発光部を設けたり、待機時に選択押釦を順番に光らせるなどして、販売対象者の注意を視覚的に引き、売上げ増加を図るものがある。商品見本の背後を、色の付いた紙を背面板に貼り付けるなどして、色調を変え、販売対象者の注意を引くようにしたものもある。
【特許文献１】特開２００４−１５２２５３公報
【発明の開示】
【発明が解決しようとする課題】
【０００４】
しかしながら、選択押釦の周囲に発光部を設けたり、選択押釦を順番に光らせるようにした選択押釦装置であっても、その両端部は、当該選択押釦装置を商品見本展示室の前面部に取り付けるためにしか用いられておらず、目立たず、販売対象者の注意を引く役には立っていない。
【０００５】
一方、商品見本等を照明するために一般に、商品見本展示室内に商品見本の並び方向に沿って蛍光灯を横方向に配置しているのであるが、蛍光管の長さはワット数によって決まっており、その中から選択することになるので、商品見本の一列の長さにちょうど適した蛍光管が必ずしもあるわけでなく、両端部の商品見本が暗いことが多い。
【０００６】
本発明は、上記問題に鑑み、販売対象者の注意を良好に引くことができて、集客力の高い自動販売機の選択押釦装置を提供することを目的とする。
【課題を解決するための手段】
【０００７】
上記課題を解決するために本発明は、自動販売機の商品見本展示室の前面部に配設される長尺な選択押釦装置において、複数の商品見本に対応する複数の商品選択釦が長手方向に沿って配列され、長手方向の端部に光源が内蔵されたことを特徴とする。これによれば、光源を発光させることにより、選択押釦装置の両端箇所をも目立たせて、集客力を向上させることができる。
【０００８】
たとえば、光源の光を手前側に透過させる透光部が端部に設けられる。光源の発光方向を手前側に向けることで、透光部を明るく光らせて、目立たせることができる。
また、光源の光を商品見本展示室の背面パネル側に向けて透過させる透光部が端部に設けられる。光源の発光方向を背後側に向けることで、光源により透光部を通して、両端部の商品見本を明るく照らすことができ、これら両端部の商品見本が暗くなって目立ちにくくなることを防止できる。
【０００９】
光源の光の色調を経時的に変化させることで、一層目立たせることもできる。
複数の商品選択釦が配列された直線部材と商品選択釦が設けられていない端部部材とにより構成され、前記端部部材に光源が内蔵されるのが都合よい。かかる構成によれば、適宜な長さと商品選択釦とを有する直線部材を単数または複数用いることで、任意の自動販売機に対応して、所望の数の商品選択釦が一列に並び、且つ両端箇所を目立たせる構成を実現できる。
【発明の効果】
【００１０】
本発明によれば、複数の商品選択釦が配列された長尺な選択押釦装置の端部に光源を内蔵して、その両端箇所をも目立たせるようにしたので、複数の自動販売機が併設された場所でも、人目を引き、集客力を向上させることができる。
【００１１】
光源の光を手前側に透光させる透光部を端部に設けたものでは、透光部を明るく光らせて、目立たせることができる。光源の光を商品見本展示室の背面パネル側に向けて透過させる透光部を端部に設けたものでは、透光部を通して商品見本群の両端部を明るく照らして、両端部の商品見本が暗くなって目立ちにくくなることを防止できる。光源の光の色調を経時的に変化させることで、一層目立たせることもできる。直線部材と端部部材とにより構成する場合は、任意の自動販売機に容易に対応可能となる。
【発明を実施するための最良の形態】
【００１２】
以下、本発明の実施の形態を図面を参照しながら説明する。
図１は本発明の第１実施形態の選択押釦装置を備える自動販売機の全体構成を示す。自動販売機本体１に開閉自在に取り付けられた外扉（前面扉）２の上部に、複数の商品見本３が上下３段の見本棚４上に展示された展示室５が設けられている。展示室５の前面は透明な電照パネル６で覆われており、その前面部に、各段の複数の商品見本３に対応するように、正面から見て見本棚４の直下位置に、複数の商品選択釦７が配列された長尺な選択押釦装置８が取り付けられている。９はコイン投入口、１０は投入された金額を表示する投入金額表示部、１１は釣銭や投入金を返却させるための返却レバー、１２は商品が払い出される商品取出口である。
【００１３】
図２は展示室５の内の上段の展示部および対応する選択押釦装置８を示し、図３（ａ）（ｂ）は同選択押釦装置８の端部を拡大して示している。
上段の展示部は、複数の商品見本３と見本棚４とを主な構成要素としている。見本棚４には冷温・商品価格が表示されている。図示しないが、この展示部の上部および見本棚４内には、商品見本３や背面パネル１３を照らす照明装置としての蛍光灯が設置されている。上述の電照パネル６の図示も省略している。
【００１４】
選択押釦装置８は、複数の商品見本３に対応する複数の商品選択釦７が、商品見本３の並び方向に沿って配列されたものである。各商品選択釦７には、投入金額がその商品の価格以上となった時に点灯する販売可ランプ１６と、その商品の売切時に点灯する売切ランプ１７とがそれぞれ内蔵されている。販売可ランプ１６，売切ランプ１７は各々発光ダイオードで構成されており、売切ランプ１７に対応する箇所の釦表面には「売切」の文字が描かれている。
【００１５】
この選択押釦装置８の大きな特徴は、その端部に、光源１８が内蔵されるとともに、光源１８の光を手前側に透光させる透光部１９が設けられている点である。
詳述すると、この選択押釦装置８は、商品見本３の横並び数が１０であることに対応して、５個の商品選択釦７が配列された２個の直線部材２０と、商品選択釦が設けられていない２個の端部部材２１とを組み合わせて構成されている。２個の直線部材２０は各々、両端部が接合可能な形状とされており、その端部を覆って美観を備えるように端部部材２１が接合されている。２個の直線部材２０の長さの和は商品見本３の並びに対応する長さであり、端部部材２１は商品見本３の並びの外側に突出している。
【００１６】
各直線部材２０は、断面がＵ形の前面板２０ａと背面板２０ｂとにより中空状に構成されている。各端部部材２１は、前面板２１ａと背面板２１ｂとにより中空状に構成されている。各端部部材２１においては、光源１８がその発光方向を手前側に向けた姿勢で背面板２１ｂに取り付けられており、光源１８に対応するように前面板２１ａに星形の透光部１９が形成されている。２２は選択押釦装置８の取付け板であって、電照パネル６の背後にある。
【００１７】
上記構成により、販売待機時などに、光源１８を発光させることによって、選択押釦装置８の両端部の星形の透光部１９を明るく光らせて、目立たせることができ、集客力を向上させることができる。従来は利用されていなかった選択押釦装置８の両端部を利用して、集客力を向上させることができるのである。
【００１８】
また、適宜な長さおよび商品選択釦数を有する直線部材２０と端部部材２１とを組み合わせたことで、所望の数の商品選択釦７が一列に並び、且つ、両端部が美観を備え、目立つ構成を実現している。ただし、直線部材２０と端部部材２１とを別途の連結部材を介して連結したり、あるいは直線部材２０と端部部材２１とを一体的に構成しても構わない。
【００１９】
光源１８は、赤色、緑色、青色等の単色の発光ダイオードでもよいが、これら３色（赤色、緑色、青色）の発光ダイオードを備えて、光の色調が経時的に変化されるようにすれば、一層目立たせることができる。光源１８を所定時間毎（例えば、数秒毎）に点滅させてもよい。
【００２０】
図４は本発明の第２の実施形態の選択押釦装置を上述の上段の展示部に対応して設置した状態を示し、図５（ａ）（ｂ）は選択押釦装置の端部を拡大して示す。
この選択押釦装置８が第１の実施形態のものと異なるのは、端部部材２１に、光源１８がその発光方向を背後側に向けた姿勢で内蔵されるとともに、光源１８の光を背面パネル１３側に向けて透過させる透光部２３が設けられている点である。
【００２１】
上記構成により、販売待機時などに、光源１８を発光させることによって、照明装置としての蛍光灯の光が届き難くて従来は暗くなり易かった部分、特に両端部の商品見本３を明るく照らして、これら両端部の商品見本が暗くなって目立ちにくくなることを防止できる。従来は利用されていなかった選択押釦装置８の両端部を利用して、集客力を向上させることができるのである。
【００２２】
第１の実施形態について説明したのと同様に、光源１８は、赤色、緑色、青色等の単色の発光ダイオードでもよいが、これら３色（赤色、緑色、青色）の発光ダイオードを備えて、光の色調が経時的に変化されるようにすれば、一層目立たせることができる。光源１８を所定時間毎（例えば、数秒毎）に点滅させてもよい。
【００２３】
以上、展示室５が上段、中段、下段の各展示部で構成されている場合を述べたが、これに限るものではなく、２段や、４段以上設けられている場合にも実施形態１，２の選択押釦装置８を設置して同様の効果を得ることが可能である。
【図面の簡単な説明】
【００２４】
【図１】本発明の第１の実施形態の選択押釦装置を備えた自動販売機の全体正面図である。
【図２】図１の選択押釦装置および対応する展示部を示す正面図である。
【図３】図１の選択押釦装置の端部を拡大して示す（ａ）平面図および（ｂ）断面図である。
【図４】本発明の第２の実施形態の選択押釦装置を対応する展示部とともに示した正面図である。
【図５】図４の選択押釦装置の端部を拡大して示す（ａ）平面図および（ｂ）断面図である。
【符号の説明】
【００２５】
１      自動販売機本体
２      外扉
３      商品見本
４      見本棚
５      展示室
７      商品選択釦
８      選択押釦装置
13      背面パネル
18      光源
19      透光部
23      透光部
【図１】
2009116417.tif 000003
【図２】
2009116417.tif 000004
【図３】
2009116417.tif 000005
【図４】
2009116417.tif 000006
【図５】
2009116417.tif 000007